(57)【要約】      （修正有）【課題】往信時及び返信時の両方において、個人情報を隠蔽することができる往復隠蔽はがきを提供する。【解決手段】紙片が連結した１枚のシートを折り畳み貼り合わせることで形成される往復隠蔽はがきであって、シートは、表面が往信用はがきの宛名面で裏面が返信用はがきの文面である紙片１と、表面が往信用はがきの文面で裏面が返信用のはがきの宛名面となる紙片２と、表裏面に再剥離接着剤が塗布された紙片３及び紙片４と、個人情報の記入欄が設けられた紙片５から構成され、往復隠蔽はがき８は、紙片１の裏面および紙片２の裏面を、それぞれ紙片３の裏面と紙片４の裏面に貼り合わせることで、シートを３枚の紙片形状に折り畳みした後、紙片５を内側に折り込むように巻き三つ折りにすることで往信用はがきとして形成され、異なる折り方で返信用はがきとして形成される。【選択図】図３
0003138014.tif 000002
【実用新案登録請求の範囲】
【請求項１】
少なくとも３枚のはがきサイズの紙片が連結した１枚のシートをはがきサイズに折り畳み、各々の前記紙片が貼り合わされて形成される往復隠蔽はがきであって、前記シートは、前記紙片として、表面が往信用はがきの宛名面で裏面が返信用はがきの文面である第１紙片と、表面が往信用はがきの文面で裏面が返信用のはがきの宛名面である第２紙片と、表裏面に再剥離接着剤が塗布された接着紙片を少なくとも備え、前記往復隠蔽はがきは、前記第１紙片の表面と前記第２紙片の表面が表示されるように前記シートを３枚の紙片形状に貼り合わせた後、巻き三つ折りすることで往信用はがきとして形成され、往信用はがきとして利用された往復隠蔽はがきを前記シートに展開した後、前記第１紙片の裏面と前記第２の紙片の裏面が表示されるように前記シートを３枚の紙片形状に貼り合わせた後、巻き三つ折りすることで返信用はがきとして形成されることを特徴とする往復隠蔽はがき。
【請求項２】
請求項１に記載の往復隠蔽はがきであって、前記シートは、前記第１紙片及び前記第２紙片に加え、前記接着紙片である第３紙片及び第４紙片と、個人情報の記入／印刷欄が設けられた第５紙片の５枚の前記紙片から構成され、前記往復隠蔽はがきは、前記第１紙片の裏面および前記第２の紙片の裏面を、それぞれ前記第３紙片の裏面と前記第４紙片の裏面に貼り合わせることで、前記シートを３枚の紙片形状に折り畳みした後、前記第５紙片を内側に折り込むように巻き三つ折りすることで往信用はがきとして形成され、前記第１紙片の表面と前記第２の紙片の表面とを、それぞれ前記第３紙片の表面と前記第４紙片の表面に貼り付せることで、前記シートを３枚の紙片形状に折り畳みした後、前記第５紙片を内側に折り込むように巻き三つ折りすることで返信用はがきとして形成されることを特徴とする往復隠蔽はがき。
【請求項３】
請求項２に記載の往復隠蔽はがきであって、前記第５紙片の連結部にはミシン目を設け前記第５紙片を切り離し可能とし、前記第５紙片を切り離された後は、前記第１紙片の表面と前記第２の紙片の表面とを、それぞれ前記第３紙片の表面と前記第４紙片の表面に貼り付せ、二つ折りすることで返信用はがきとして形成されることを特徴とする往復隠蔽はがき。
【請求項４】
請求項１に記載の往復隠蔽はがきであって、前記シートは、前記第１紙片及び前記第２紙片に加え、表裏面に再剥離接着剤を塗布された第３紙片の３枚の前記紙片から構成され、前記往復隠蔽はがきは、前記第１紙片の表面と前記第２の紙片の表面が表になるように、前記第３紙片を内側に折り込むように巻き三つ折りすることで往復用はがきとして形成され、前記第１紙片の裏面と前記第２の紙片の裏面が表になるように、前記第３紙片を内側に折り込むように巻き三つ折りすることで返信用はがきとして形成されることを特徴とする往復隠蔽はがき。
【考案の詳細な説明】
【技術分野】
【０００１】
本考案は、往復はがきに関し、更に詳しくは、往信時及び返信時の両方において個人情報を隠蔽することができる往復はがきに関する。
【背景技術】
【０００２】
はがきに印字されている請求書などの個人情報を保護する対策として、個人情報を隠蔽できる隠蔽はがきが利用されている。往信用の隠蔽はがきとしては二つ折りはがきが有名で、対向する面の一方に特殊な接着剤を塗布するなどして貼り合せ可能とし、貼り合せる面に個人情報を印刷することで、印刷された個人情報は保護される。
【０００３】
また、返信用の隠蔽はがきとしては、返信用はがきに記入された個人情報を隠蔽する粘着シートを個人情報が記載された領域に貼ることで、粘着テープによって隠蔽された個人情報は保護される。
【０００４】
特許文献１では、個人情報を隠蔽する粘着シールとして機能する拡張部を備えた隠蔽シール付はがきシートが開示され、特許文献１の発明によれば、隠蔽するための粘着シートが返信はがきから分離することはなく、粘着シートの紛失を防止できる。
【０００５】
また、特許文献１で開示されている発明では、返信用はがきの重量が増えたり、多くの情報が記載できない欠点があるため、隠蔽するための粘着シートを返信用はがきから分離させないという長所は有していて、なおかつ、返信用はがきをできるだけ軽量し、より多くの情報を記載できるようにした往復はがきが特許文献２で考案されている。
【特許文献１】特開２００１−３３４７７７号公報
【特許文献２】実用新案登録第３１１４３９８号公報
【考案の開示】
【考案が解決しようとする課題】
【０００６】
しかしながら、従来の往復隠蔽はがきでは、往信時及び返信時のいずれかににおいて、個人情報を隠蔽することはできるものの、往信時及び返信時の両方において、個人情報を隠蔽することはできなかった。
【０００７】
そこで、本考案は、往信時及び返信時の両方において、個人情報を隠蔽することができる往復隠蔽はがきを提供することを目的とする。
【課題を解決するための手段】
【０００８】
上述した課題を解決する第１の考案は、少なくとも３枚のはがきサイズの紙片が連結した１枚のシートをはがきサイズに折り畳み、各々の前記紙片が貼り合わされて形成される往復隠蔽はがきであって、前記シートは、前記紙片として、表面が往信用はがきの宛名面で裏面が返信用はがきの文面である第１紙片と、表面が往信用はがきの文面で裏面が返信用のはがきの宛名面である第２紙片と、表裏面に再剥離接着剤が塗布された接着紙片を少なくとも備え、前記往復隠蔽はがきは、前記第１紙片の表面と前記第２紙片の表面が表示されるように前記シートを３枚の紙片形状に貼り合わせた後、巻き三つ折りすることで往信用はがきとして形成され、往信用はがきとして利用された往復隠蔽はがきを前記シートに展開した後、前記第１紙片の裏面と前記第２の紙片の裏面が表示されるように前記シートを３枚の紙片形状に貼り合わせた後、巻き三つ折りすることで返信用はがきとして形成されることを特徴とする往復隠蔽はがきである。
【０００９】
上述した第１の考案によれば、前記往復隠蔽はがきは、往信時及び返信時の両方において、前記シートを３枚の紙片形状に貼り合わせた後巻き三つ折りすることで形成されるため、前記往復隠蔽はがきの内部に隠蔽される面に個人情報を印刷或いは記入する領域を設ければ、往信時及び返信時の両方において、個人情報を隠蔽することができる。
【００１０】
また、前記紙片の枚数を５枚以上にすれば、巻き三つ折りするときに内側に折り込まれ、前記接着紙片とならない前記紙片を設けることができ、この前記紙片を個人情報の印刷或いは記入する専用の前記紙片とすることができる。
【００１１】
更に、本考案の前記往復はがきは折り畳むことで形成されるため、粘着シールの剥離紙等のゴミが出ることはない。更に、本考案の前記往復はがきは複数の前記紙片から構成されるため情報量を多くすることができる。
【００１２】
更に、返信はがきの宛名面に料金受取人払の承認番号等を予め印刷しておけば、郵便料金を削減することが可能になる。
【００１３】
更に、第２の考案は、第１の考案に記載の往復隠蔽はがきであって、前記シートは、前記第１紙片及び前記第２紙片に加え、前記接着紙片である第３紙片及び第４紙片と、個人情報の記入／印刷欄が設けられた第５紙片の５枚の前記紙片から構成され、前記往復隠蔽はがきは、前記第１紙片の裏面および前記第２の紙片の裏面を、それぞれ前記第３紙片の裏面と前記第４紙片の裏面に貼り合わせることで、前記シートを３枚の紙片形状に折り畳みした後、前記第５紙片を内側に折り込むように巻き三つ折りすることで往信用はがきとして形成され、前記第１紙片の表面と前記第２の紙片の表面とを、それぞれ前記第３紙片の表面と前記第４紙片の表面に貼り付せることで、前記シートを３枚の紙片形状に折り畳みした後、前記第５紙片を内側に折り込むように巻き三つ折りすることで返信用はがきとして形成されることを特徴とする往復隠蔽はがきである。
【００１４】
更に、第３の考案は、第２の考案に記載の往復隠蔽はがきであって、前記第５紙片の連結部にはミシン目を設け前記第５紙片を切り離し可能とし、前記第５紙片を切り離された後は、前記第１紙片の表面と前記第２の紙片の表面とを、それぞれ前記第３紙片の表面と前記第４紙片の表面に貼り付せ、二つ折りすることで返信用はがきとして形成されることを特徴とする往復隠蔽はがきである。
【００１５】
更に、第４の考案は、第１の考案に記載の往復隠蔽はがきであって、前記シートは、前記第１紙片及び前記第２紙片に加え、表裏面に再剥離接着剤を塗布された第３紙片の３枚の前記紙片から構成され、前記往復隠蔽はがきは、前記第１紙片の表面と前記第２の紙片の表面が表になるように、前記第３紙片を内側に折り込むように巻き三つ折りすることで往復用はがきとして形成され、前記第１紙片の裏面と前記第２の紙片の裏面が表になるように、前記第３紙片を内側に折り込むように巻き三つ折りすることで返信用はがきとして形成されることを特徴とする往復隠蔽はがきである。
【００１６】
第２の考案は、前記紙片の枚数を５枚とした前記隠蔽はがきで、第４の考案は、前記紙片の枚数を５枚とした前記隠蔽はがきである。また、第３の考案によれば、第２の考案の前記隠蔽はがきにおいて、前記第５紙片を切り離し可能とすることで、個人情報が印刷された前記第５紙片の保管が容易になる。
【考案の効果】
【００１７】
上述した考案によれば、隠蔽はがきに記載できる情報量を減らすことなく、往信時及び返信時の両方において、個人情報を隠蔽することはできる隠蔽はがきを提供できる。
【考案を実施するための最良の形態】
【００１８】
ここから、本考案に係わる往復隠蔽はがきについて説明する。図１は、本考案に係わる往復隠蔽はがき８を説明する図である。図１で図示した往復隠蔽はがき８は、はがきサイズの複数の紙片が連結した１枚のシートを、はがきサイズに折り畳み、各々の紙片を貼り合せることで層構成として形成されるはがきである。
【００１９】
シートの折り畳み方には、往信はがきとして利用する折り畳み方と、返信はがきとして利用する折り畳み方の２つが定められ、往信用はがきとして利用された往復隠蔽はがき８をシートに展開した後、返信用はがきとして利用する折り畳み方に従い折り畳むことで、往信用はがきとして利用された往復隠蔽はがき８を返信用はがきとして利用できる。
【００２０】
往復隠蔽はがき８をはがきサイズの郵送物として利用できるため、折り畳みしたときに重なり合う紙片の面の片方には、再接着可能な再剥離接着剤（再剥離糊）が塗布されており、シートを折り畳むときに圧力をかけることで、重なり合う紙片同士は圧着する。
【００２１】
上述したように、本考案に係わる往復隠蔽はがき８は、折り畳み方を変えることで、一つの往復隠蔽はがき８を、往信用はがき及び返信用はがきとして利用することができ、更に、往復隠蔽はがき８の内部に隠蔽される面に個人情報を印字或いは記入する領域を設けることで、個人情報を保護できる。
【００２２】
ここから、本考案に係わる往復隠蔽はがき８の具体例について説明する。実施例１は、シートの紙片の数を５枚としたときの実施例で、実施例２は、シートの紙片の数を３枚としたときの実施例である。なお、本考案はこれから説明する具体例に限定されるものではない。
【００２３】
＜実施例１＞
まず、往復隠蔽はがき８の紙片の数を５枚としたときの実施例ついて説明する。図２は、はがきサイズの５枚の紙片が連結されたシート６を説明する図で、図３は、往信時の折り畳み方を説明する図で、図４は、返信時の折り畳み方を説明する図である。
【００２４】
図２で図示したシート６は、はがきサイズの５枚の紙片１〜５が連結した１枚のシートで、シート６を折り畳みし易いように、紙片１〜５の連結部には折線７＿１〜折線７＿４が設けられている。
【００２５】
図２（ａ）、（ｂ）で図示したように、紙片１の表面は往信用はがきの宛名面で、紙片１の裏面は返信用はがきの文面である。また、紙片２の表面は往信用はがきの文面で、紙片２の裏面は返信用はがきの宛名面である。更に、紙片３及び紙片４は表裏面に再剥離接着剤が塗布され、紙片３及び紙片４は接着層として機能する。
【００２６】
紙片５は、往信用はがきとして往復隠蔽はがき８を利用するときであっても、返信用はがきとして往復隠蔽はがき８を利用するときであっても、巻き三つ折りするときに内側に折り込まれるため、紙片５の表裏面には個人情報の記入欄が設けられている。
【００２７】
実施例１の往復隠蔽はがき８は５枚の紙片から構成されるため、紙片５以外の紙片に情報を印刷することができる。紙片１の裏面は返信用はがきの文面として利用でき、返信時に個人情報以外の情報の印刷・記入に利用できる。紙片２の表面は往信用はがきの文面として利用でき、往信時に個人情報以外の情報の印刷・記入に利用できる。更に、紙片３及び紙片４の表裏面に塗布される再剥離接着剤を透明な再剥離接着剤にすることで、紙片３及び紙片４の表裏面には広告やなどを印刷できる。
【００２８】
図３を参照しながら、往信時の折り畳み方について説明する。シート６から往信はがきとして利用する往復隠蔽はがき８を形成するときは、まず、シート６の裏面を表に向け、図３（ａ）に図示したように、折線７＿２に沿って折り、紙片１と紙片４、及び、紙片２と紙片３が重なり合うように折り畳むことで、紙片１の裏面と紙片４の裏面及び紙片２の裏面と紙片３の裏面とを接着させ、シート６を３枚の紙片形状に折り畳みする。
【００２９】
紙片１と紙片４、及び、紙片２と紙片３が重なり合うように折り畳みした後、図３（ａ）の状態からシート６を裏返して、紙片５を内側に折り込むように巻き三つ折りする。紙片５を内側に折り込むように巻き三つ折りするときは、まず、図３（ｂ）に図示したように、折線７＿４に沿って折り、紙片４と紙片５とが重なり合うように折り畳むことで、紙片５の表面と紙片４の表面が接着する。
【００３０】
そして、紙片５と紙片４が重なり合うように折り畳みした後、図３（ｃ）に図示したように、折線７＿１，７＿３に沿って、紙片２の表面が表になるように、紙片２が接着された紙片３と、紙片１及び紙片４が接着された紙片５が重なり合うように折り畳むことで、紙片３の表面と紙片５の裏面が接着し、図３（ｄ）に図示したように、往信用はがきとして利用する往復隠蔽はがき８が形成される。
【００３１】
図４を参照しながら、返信時の折り畳み方について説明する。往信用はがきと形成された往復隠蔽はがき８を返信用はがきとして利用するときは、接着されている箇所を剥離させ、往信用はがきと形成された往復隠蔽はがき８をシート６に展開する。
【００３２】
往信用はがきと形成された往復隠蔽はがき８をシート６に展開した後、シート６の表面を表に向け、図４（ａ）に図示したように、折線７＿２に沿って折り、紙片１と紙片４、及び、紙片２と紙片３が重なり合うように折り畳むことで、紙片１の表面と紙片４の表面及び紙片２の表面と紙片３の表面が接着させ、３枚の紙片形状に折り畳みする。
【００３３】
紙片１と紙片４、及び、紙片２と紙片３が重なり合うように折り畳みした後、図４（ａ）の状態からシート６を裏返して、紙片５を内側に折り込むように巻き三つ折りする。紙片５を内側に折り込むように巻き三つ折りするときは、まず、図４（ｂ）に図示したように、折線４に沿って折り、紙片４と紙片５とが重なり合うように折り畳むことで、紙片５の裏面と紙片４の裏面を接着させる。
【００３４】
そして、紙片５と紙片４が重なり合うように折り畳みした後、図４（ｃ）に図示したように、折線１，３に沿って、紙片２の裏面が表になるように、紙片２が接着された紙片３と、紙片１及び紙片４が接着された紙片５が重なり合うように折り畳むことで、紙片３の裏面と紙片５の表面が接着し、図４（ｄ）に図示したように、返信用はがきとして利用する往復隠蔽はがき８が形成される。
【００３５】
なお、上述した例では、紙片１〜５の連結部には折線７＿１〜折線７＿４が設けられていたが、折線７＿１〜折線７＿４のすべて或いは一部をミシン線にしてもよい。例えば、図２で示したシート６において折線７＿４をミシン線とすれば、往信用はがきと形成された往復隠蔽はがき８をシート６に展開した後に、個人情報が印刷された紙片５をシート６から切り取ることが可能になる。
【００３６】
紙片５をシート６から切り取ったときの返信時の折り畳み方は、図３（ｂ）の手順は省き、図３（ｃ）の手順において、折線７＿１，７＿３に沿って、紙片２の裏面が表になるように、紙片２が接着された紙片３と、紙片１及が接着された紙片４が重なり合うように折り畳むことで、紙片３の裏面と紙片４の裏面を接着させ、返信用はがきとして利用する往復隠蔽はがき８が形成される。
【００３７】
＜実施例２＞
まず、往復隠蔽はがき８の紙片の数を３枚としたときの実施例ついて説明する。図５は、はがきサイズの３枚の紙片が連結されたシート４０を説明する図で、図６は、往信時及び返信時の折り畳み方を説明する図である。
【００３８】
図５で図示したシート４０は、はがきサイズの３枚の紙片１０〜３０が連結した１枚のシートで、シート４０を折り畳みし易いように、紙片１０〜３０の連結部には折線５０＿１〜折線５０＿２が設けられている。
【００３９】
紙片１０の表面は往信はがきの文面で、紙片１０の裏面は返信はがきの宛名面である。また、紙片２０の表面は往信はがきの宛名面で、紙片２０の裏面は返信はがきの文面である。更に、紙片３０は表裏面に再剥離接着剤が塗布され、紙片３は接着層として機能する。
【００４０】
往復隠蔽はがき８を往信用はがきとして利用するとき、紙片１０の表面は往信はがきの文面になるが、往復隠蔽はがき８を返信用はがきとして利用するときは、紙片１０の表面は紙片３と接着するため、紙片１０の表面を個人情報の記入面に利用できる。
【００４１】
なお、往復隠蔽はがき８を返信用はがきとして利用するとき、紙片２の裏面は返信用はがきの文面になってしまうため、紙片２の裏面には個人情報以外の情報の印刷・記入に利用することができ、紙片３の表裏面は広告などの印刷に利用できる。
【００４２】
図６を参照しながら、往信時の折り畳み方及び返信時の折り畳み方について説明する。図６（ａ）は往信時の折り畳み方を説明する図で、図６（ｂ）は返信時の折り畳み方を説明する図である。
【００４３】
シート６０から往信はがきとして利用する往復隠蔽はがき８を形成するときは、まず、シート６０の表面を裏にし、図６（ａ）に図示したように、紙片３０を折線５０＿２に沿って折り、紙片２０と紙片３０が重なり合うように折り畳むことで、紙片２０の裏面と紙片３０の裏面を接着させる。
【００４４】
次に、紙片１０を折線５０＿１に沿って折り、紙片１０と紙片３０が重なり合うように折り畳むことで、紙片１０の裏面と紙片３０の表面を接着させ、往信用はがきとして利用する往復隠蔽はがき８が形成される。
【００４５】
図６（ｂ）を参照しながら、返信時の折り畳み方について説明する。往信用はがきと形成された往復隠蔽はがき８を返信用はがきとして利用するときは、接着されている箇所を剥離させ、往信用はがきと形成された往復隠蔽はがき８をシート４０に展開する。
【００４６】
シート６０の表面を裏にし、図６（ｂ）に図示したように、紙片３０を折線５０＿２に沿って折り、紙片２０と紙片３０が重なり合うように折り畳むことで、紙片２０の表面と紙片３０の表面を接着させる。そして、紙片１０を折線５０＿１に沿って折り、紙片１０と紙片３０が重なり合うように折り畳むことで、紙片１０の表面と紙片３０の裏面を接着させ、返信用はがきとして利用する往復隠蔽はがき８が形成される。
【図面の簡単な説明】
【００４７】
【図１】往復隠蔽はがきを説明する図。
【図２】５枚の紙片が連結されたシートを説明する図。
【図３】往信時の折り畳み方を説明する図。
【図４】返信時の折り畳み方を説明する図。
【図５】３枚の紙片が連結されたシートを説明する図。
【図６】往信時及び返信時の折り畳み方を説明する図。
【符号の説明】
【００４８】
１〜５  紙片
６  シート
７＿１〜７＿４  折線
８  往復隠蔽はがき
１０〜３０  紙片
４０  シート
５０＿１〜５０＿２  折線
【図１】
0003138014.tif 000003
【図２】
0003138014.tif 000004
【図３】
0003138014.tif 000005
【図４】
0003138014.tif 000006
【図５】
0003138014.tif 000007
【図６】
0003138014.tif 000008
【手続補正書】
【提出日】平成19年9月28日(2007.9.28)
【手続補正１】
【補正対象書類名】図面
【補正対象項目名】図２
【補正方法】変更
【補正の内容】
【図２】
0003138014.tif 000009
【手続補正２】
【補正対象書類名】図面
【補正対象項目名】図５
【補正方法】変更
【補正の内容】
【図５】
0003138014.tif 000010